(57)【要約】【課題】棚板の上面側にアンテナを配置しても上下方向の商品載置スペースを十分に確保することのできる商品棚を提供する。【解決手段】商品２に取付けられたＲＦＩＤタグ１の情報を読み取るためのアンテナ２０をパネル３０に内蔵し、棚板１０の上面に設けた凹部１０ａ内にパネル３０を配置するようにしたので、パネル３０が凹部１０ａ内に上下方向に入り込む分、パネル３０が上方に突出することがなく、棚板１０の上面側にアンテナ２０を配置しても上下方向の商品載置スペースを十分に確保することができる。この場合、複数のパネル３０を凹部１０ａ内に棚板１０の幅方向に並べて配置するようにしたので、幅寸法の異なる他の種類の棚板に用いる場合でも、パネル３０の数を増減することにより、パネル３０の幅寸法を変更する必要がなく、汎用性の向上を図ることができる。【選択図】図１
2009119044.tif 000002
【特許請求の範囲】
【請求項１】
ＲＦＩＤタグが取付けられた商品を載置する棚板と、ＲＦＩＤタグに記憶された情報を読み取るためのアンテナとを備えた商品棚において、
前記アンテナが内蔵され、上面に商品を載置可能なパネルを備え、
棚板の上面にはパネルが配置される凹部を設けた
ことを特徴とする商品棚。
【請求項２】
前記凹部内の後端側に配置され、パネルから延びるアンテナの配線を収容可能な中空状の配線カバーを備え、
凹部内のパネルを配線カバーの前方に配置し、
配線カバーをパネルの上面よりも上方に突出する高さに形成した
ことを特徴とする請求項１記載の商品棚。
【請求項３】
前記配線カバーにおける前面下部の所定箇所と、配線カバーの下方に位置する棚板の所定箇所にそれぞれ配線挿通用の開口部を設けた
ことを特徴とする請求項２記載の商品棚。
【請求項４】
前記凹部内に複数のパネルを棚板の幅方向に並べて配置した
ことを特徴とする請求項１、２または３記載の商品棚。
【請求項５】
前記凹部内に配置された各パネルの上面全体を覆うパネルカバーを備えた
ことを特徴とする請求項４記載の商品棚。
【請求項６】
前記パネルカバーを各パネル上に保持する保持部を備えた
ことを特徴とする請求項５記載の商品棚。
【発明の詳細な説明】
【技術分野】
【０００１】
本発明は、例えばコンビニエンスストア等のショーケースやゴンドラに用いられる商品棚に関するものである。
【背景技術】
【０００２】
一般に、コンビニエンスストア等の店舗においては、ショーケースやゴンドラに設けられた商品棚に各種の商品を陳列して販売しているが、商品の販売管理を効率よく行うために、商品にＲＦＩＤタグを取付け、ＲＦＩＤタグに記憶された情報を商品棚に設けたアンテナを介してリーダライタで読み取るようにしたものが知られている（例えば、特許文献１参照。）。
【特許文献１】特開２００７−９４８６４号公報
【発明の開示】
【発明が解決しようとする課題】
【０００３】
ところで、前記商品棚の棚板は金属板で形成されているため、棚板の下面にアンテナを配置したのでは、金属板の影響により、棚板の上面に載置された商品からＲＦＩＤタグの情報を読み取ることができない。そこで、アンテナを棚板の上面側に配置する必要があるが、アンテナは合成樹脂のカバー等で覆う必要があるため、その分だけアンテナの厚さ寸法が大きくなる。このため、商品棚間における上下方向の商品載置スペースが小さくなり、アンテナのカバーの厚さ分だけ陳列可能な商品の高さ寸法が制限されるという問題点があった。
【０００４】
本発明は前記問題点に鑑みてなされたものであり、その目的とするところは、棚板の上面側にアンテナを配置しても上下方向の商品載置スペースを十分に確保することのできる商品棚を提供することにある。
【課題を解決するための手段】
【０００５】
本発明は前記目的を達成するために、ＲＦＩＤタグが取付けられた商品を載置する棚板と、ＲＦＩＤタグに記憶された情報を読み取るためのアンテナとを備えた商品棚において、前記アンテナが内蔵され、上面に商品を載置可能なパネルを備え、棚板の上面にはパネルが配置される凹部を設けている。
【０００６】
これにより、棚板の上面に設けた凹部内にパネルが配置されることから、パネルが凹部内に上下方向に入り込む分、パネルが上方に突出することがない。
【発明の効果】
【０００７】
本発明の商品棚によれば、棚板の上面側にアンテナを配置しても、パネルが凹部内に上下方向に入り込む分、パネルが上方に突出することがないので、上下方向の商品載置スペースを十分に確保することができる。
【発明を実施するための最良の形態】
【０００８】
図１乃至図５は本発明の第１の実施形態を示すもので、図１は商品棚の斜視図、図２は商品棚の側面断面図、図３は図２のＡ−Ａ線矢視方向断面図、図４は商品棚の分解側面断面図、図５は棚板及び配線カバーの分解側面断面図である。
【０００９】
この商品棚は、ＲＦＩＤタグ１が取付けられた商品２を載置する金属製の棚板１０と、ＲＦＩＤタグ１に記憶された情報を読み取るための４つのアンテナ２０と、各アンテナ２０をそれぞれ内蔵した４枚のパネル３０と、棚板１０の後端側に配置された配線カバー４０とを備えている。
【００１０】
棚板１０は、上面の周縁を除く部分に凹部１０ａが設けられ、凹部１０ａ内には各パネル３０が配置されるようになっている。棚板１０は幅方向両端側を上方に折り曲げた棚板本体１１を有し、棚板本体１１の幅方向両端はそれぞれ側壁部１１ａをなす。各側壁部１１ａの幅方向外側は下方に折り曲げられ、図示しないブラケットに係止可能に形成されている。また、棚板本体１１の後端側には配線カバー４０の下方に位置する配線挿通用の開口部としての複数の孔１１ｂが設けられ、各孔１１ｂは棚板本体１１の幅方向４箇所に互いに間隔をおいて配置されている。棚板本体１１の前面及び背面にはそれぞれ前面板１２及び背面板１３が設けられ、棚板本体１１の各側壁部１１ａ、前面板１２及び背面板１３によって囲まれた部分が凹部１０ａを形成している。
【００１１】
アンテナ２０はパネル３０内の周縁に沿って延びる導電性の金属からなり、図示しない外部の機器（例えば、リーダライタ）に配線２１を介して接続される。
【００１２】
各パネル３０は四角形状に形成された合成樹脂の成形品からなり、その上下方向の厚さ寸法Ｈ1 が凹部１０ａの深さ寸法Ｈ2 と等しくなるように形成されている。また、各パネル３０は、一つのパネル３０の幅方向の寸法が凹部１０ａの幅方向の寸法の１／４になるように形成され、奥行き寸法が配線カバー４０を除く凹部１０ａの奥行き寸法と等しくなるように形成されている。
【００１３】
配線カバー４０は下面を開口した中空状の部材からなり、金属板を断面四角形状に折り曲げ加工することによって形成されている。配線カバー４０は棚板１０の幅方向に長く形成され、その長手方向の寸法が凹部１０ａの幅方向の寸法と等しくなるように形成されている。配線カバー４０は凹部１０ａ内に配置され、その後端を背面板１３に当接させている。この場合、配線カバー４０は、パネル３０の上面よりも上方に突出するように、その高さ寸法Ｈ3 が凹部１０ａの深さ寸法Ｈ2 よりも大きくなるように形成されている。また、配線カバー４０における前面下部には配線挿通用の開口部としての複数の切り欠き４０ａが設けられ、各切り欠き４０ａは配線カバー４０の幅方向４箇所に互いに間隔をおいて配置されている。
【００１４】
以上のように構成された商品棚においては、凹部１０ａ内の配線カバー４０の前方に各パネル３０が棚板１０の幅方向に並べられ、配線カバー４０を除く凹部１０ａ内に隙間なく配置される。この場合、各パネル３０はその厚さ寸法Ｈ1 と同等の深さ寸法Ｈ2 を有する凹部１０ａ内に配置されることから、棚板１０から上方に突出することがない。また、パネル３０から延びる配線２１は配線カバー４０の切り欠き４０ａを挿通して配線カバー４０内に収容されるとともに、棚板本体１１の孔１１ｂを介して外部に引き出され、図示しない外部の機器に接続される。
【００１５】
前記商品棚は、店舗のショーケースやゴンドラに取付けられ、ＲＦＩＤタグ１の取付けられた商品２が各パネル３０の上面に載置される。これにより、ＲＦＩＤタグ１に記憶された情報がアンテナ２０を介してリーダライタ（図示せず）に読み取られ、商品管理等に利用される。その際、配線カバー４０がパネル３０の上面よりも上方に突出する高さに形成されていることから、パネル３０上の商品２が後方に移動しても、配線カバー４０の前端に当接して配線カバー４０の上面側に移動することはない。
【００１６】
このように、本実施形態の商品棚によれば、商品２に取付けられたＲＦＩＤタグ１の情報を読み取るためのアンテナ２０をパネル３０に内蔵し、棚板１０の上面に設けた凹部１０ａ内にパネル３０を配置するようにしたので、パネル３０が凹部１０ａ内に上下方向に入り込む分、パネル３０が上方に突出することがなく、棚板１０の上面側にアンテナ２０を配置しても上下方向の商品載置スペースを十分に確保することができる。
【００１７】
この場合、複数のパネル３０を凹部１０ａ内に棚板１０の幅方向に並べて配置するようにしたので、幅寸法の異なる他の種類の棚板に用いる場合でも、パネル３０の数を増減することにより、パネル３０の幅寸法を変更する必要がなく、汎用性の向上を図ることができる。
【００１８】
また、凹部１０ａ内の後端側にパネル３０から延びる配線２１を収容可能な中空状の配線カバー４０を設けるとともに、凹部１０ａ内のパネル３０を配線カバー４０の前方に配置したので、配線カバー４０によって棚板１０の上面側の配線２１を隠すことができ、配線２１が露出して外観を損なうことがないという利点がある。この場合、配線カバー４０をパネル３０の上面よりも上方に突出する高さに形成したので、パネル３０上の商品２が後方に移動しても、商品２が配線カバー４０の上面側に移動することがなく、商品２を常にパネル３０上に位置させてＲＦＩＤタグ１の情報の読み取りを確実に行うことができる。
【００１９】
更に、配線カバー４０における前面下部に配線挿通用の切り欠き４０ａを設け、配線カバー４０の下方に位置する棚板本体１１には配線挿通用の孔１１ｂを設けたので、パネル３０から後方に延びる配線２１を配線カバー４０の切り欠き４０ａと棚板本体１１の孔１１ｂを介して棚板１０の下方に容易に引き出すことができる。
【００２０】
尚、前記実施形態では、複数のパネル３０を備えたものを示したが、凹部１０ａと等しい幅寸法を有する一枚のパネルを用いるようにしてもよい。
【００２１】
図６は本発明の第２の実施形態であり、配線カバーを有しない商品棚を示すものである。本実施形態では、凹部１０ａと等しい奥行き寸法を有する複数のパネル５０が用いられ、各パネル５０内には前記実施形態と同様、アンテナ（図示せず）が設けられている。本実施形態によれば、配線カバーを有しない分、商品の載置スペースを広くすることができる。この場合、各パネル５０の配線は凹部１０ａに設けられた孔（図示せず）を介して外部に引き出される。
【００２２】
図７乃至図９は本発明の第３乃至第５の実施形態を示すものであり、第２の実施形態の各パネル５０の上面全体を覆うパネルカバー６０を備えたものである。パネルカバー６０は、例えば薄いアクリル板等、可撓性を有する非導電性の板状部材からなり、各パネル５０を並べた大きさと同等の幅寸法及び奥行き寸法に形成されている。即ち、各パネル５０の上面全体がパネルカバー６０によって覆われることにより、各パネル５０間の境目が外部に露出することがなく、見栄えの向上を図ることができる。また、商品がパネルカバー６０を介して各パネル５０上に載置されるので、各パネル５０間に僅かな隙間や段差があっても商品の陳列に支障を来すことがなく、商品を常に安定して載置することができる。
【００２３】
図７に示す第３の実施形態は、各側壁部１１ａの前後方向両端に、パネルカバー６０を保持する保持部６１をそれぞれ設けたものであり、各保持部６１は各側壁部１１ａの上面との間に隙間を有する三角形状の部材からなる。本実施形態においてパネルカバー６０を取付ける場合は、パネルカバー６０を撓ませながら各保持部６１と側壁部１１ａの上面との間にパネルカバー６０の角部を挿入することにより、パネルカバー６０が各保持部６１によって各パネル５０上に保持される。即ち、パネルカバー６０が各保持部６１によって保持されることにより、パネルカバー６０の位置ずれを防止することができるとともに、パネルカバー６０を容易に着脱することができるので、パネルカバー６０を交換する場合や、取外して清掃を行う場合に極めて有利である。
【００２４】
図８に示す第４の実施形態は、各側壁部１１ａに前後方向に延びる保持部６２をそれぞれ設けたものであり、各保持部６２は各側壁部１１ａの上面との間に隙間を有する板状の部材からなる。この場合、各保持部６２と側壁部１１ａの上面との間は、棚板本体１１の幅方向内側の側面と前端側のみが開放されており、前端側は閉鎖部材６２ａを取付けることにより閉鎖されるようになっている。本実施形態においてパネルカバー６０を取付ける場合は、パネルカバー６０の幅方向両端部を各保持部６２と側壁部１１ａの上面との間に前方から挿入し、パネルカバー６０を各パネル５０が覆われる位置まで後方に移動した後、各保持部６２の前端側を閉鎖部材６２ａで閉鎖することにより、パネルカバー６０が各保持部６２によって各パネル５０上に保持される。尚、各保持部６２を前端側も閉鎖されるように形成し、パネルカバー６０を撓ませながら各保持部６２と側壁部１１ａの上面との間にパネルカバー６０の幅方向両端部を挿入するようにしてもよい。この場合、閉鎖部材６２ａを別途取付ける必要はない。
【００２５】
図９に示す第５の実施形態は、パネルカバー６０を複数のネジ６３によって棚板本体１１に固定するようにしたものである。即ち、各側壁部１１ａの上面にはそれぞれ前後方向２箇所ずつにネジ孔１１ｃが設けられ、パネルカバー６０に設けたネジ挿通孔６０ａを挿通するネジ６３をネジ孔１１ｃに螺合することにより、パネルカバー６０が棚板本体１１に固定される。この場合、ネジ止め箇所は各側壁部１１ａのそれぞれ前後方向１箇所ずつ、または３箇所ずつであってもよい。
【００２６】
尚、第５の実施形態では、パネルカバー６０をネジ止めにより固定するようにしたものを示したが、両面粘着テープや面ファスナ等、他の固定手段を用いることも可能である。
【００２７】
また、前記第３乃至第５の実施形態では、第２の実施形態の商品棚にパネルカバー６０を設けたものを示したが、第１の実施形態の商品棚に同様のパネルカバーを設けることも可能である。
【図面の簡単な説明】
【００２８】
【図１】本発明の第１の実施形態を示す商品棚の斜視図
【図２】商品棚の側面断面図
【図３】図２のＡ−Ａ線矢視方向断面図
【図４】商品棚の分解側面断面図
【図５】棚板及び配線カバーの分解斜視図
【図６】本発明の第２の実施形態を示す商品棚の斜視図
【図７】本発明の第３の実施形態を示す商品棚の斜視図
【図８】本発明の第４の実施形態を示す商品棚の斜視図
【図９】本発明の第５の実施形態を示す商品棚の斜視図
【符号の説明】
【００２９】
１…ＲＦＩＤタグ、２…商品、１０…棚板、１０ａ…凹部、２０…アンテナ、１１ｂ…孔、２１…配線、３０…パネル、４０…配線カバー、４０ａ…切り欠き、５０…パネル、６０…パネルカバー、６１，６２…保持部。
【図１】
2009119044.tif 000003
【図２】
2009119044.tif 000004
【図３】
2009119044.tif 000005
【図４】
2009119044.tif 000006
【図５】
2009119044.tif 000007
【図６】
2009119044.tif 000008
【図７】
2009119044.tif 000009
【図８】
2009119044.tif 000010
【図９】
2009119044.tif 000011